(57)【要約】本発明は、複数のサブアセンブリを収容するハウジングを備える共同学習、データ伝送、エンタテイメント、およびパブリック・ガバナンス用の携帯可能な一体型電子装置を開示する。サブアセンブリには、ハウジング外部の表面上にビデオおよびデジタルデータを所定の特大サイズ画像に投影するプロジェクタと、オーディオ、ビデオ、および／またはデジタルデータを外部ディスクおよび内部記憶ユニット上に、および／またはそれらから記録、再生、および格納するための手段と、入力装置を介したデータ入力を受信および処理するため、およびネットワークに接続するよう適合された計算回路と、複数のテレビジョン信号データを受信するよう適合されたテレビジョンチューナカードとが含まれる。サブアセンブリは、サブアセンブリが単一のボタンのＯＮ−ＯＦＦによって動作するよう互いに事前接続された関係にあり、装置は非常にコンパクト、ポータブル、かつ使いやすい。
2006526231.tif 000002
【特許請求の範囲】
【請求項１】
共同学習、データ伝送、エンターテイメント、およびパブリック・ガバナンス用の持ち運び可能な一体型電子装置であって、
（ａ）ハウジングを備え、
（ｂ）前記ハウジングが複数のサブアセンブリを収容し、
（ｃ）前記サブアセンブリが、
（ｉ）前記ハウジング外部の表面の上にビデオおよびデジタル・データを所定の特大サイズ画像に投影するための投影装置と、
（ｉｉ）外部ディスクおよび前記投影装置に結合された内部記憶ユニット上に、および／またはそれらから、オーディオ、ビデオ、および／またはデジタル・データを記録、再生、および格納するための記録装置と、
（ｉｉｉ）前記記録装置および前記投影装置に結合された入力装置を介したデータ入力を受信および処理するため、およびネットワークへの接続用に適合された計算回路と、
（ｉｖ）前記記録装置および前記投影装置に結合され、複数のテレビジョン信号データを受信するよう適合されたテレビジョン・チューナ・カードと、を含み、
前記サブアセンブリは互いに事前接続された関係にあり、それにより前記装置は非常にコンパクト、ポータブル、かつ使いやすいことを特徴とする装置。
【請求項２】
前記ハウジングが前記サブアセンブリと共に動作可能なオーディオ・アンプ回路をさらに備えることを特徴とする、請求項１に記載の装置。
【請求項３】
前記サブアセンブリが単一のＯＮ−ＯＦＦスイッチによって動作可能であることを特徴とする、請求項１または２に記載の装置。
【請求項４】
前記ハウジングがフロント・パネルおよびリア・パネルを備え、および／または前記サブアセンブリがハウジングのフロント・パネルに配置されたＯＮ−ＯＦＦスイッチによって動作することを特徴とする、請求項１乃至３のいずれかに記載の装置。
【請求項５】
外部ディスクからのオーディオ、ビデオ、および／またはデジタルを記録、再生、および格納するための前記記録装置が、オーディオＣＤプレーヤ、ＶＣＤプレーヤ、ＤＶＤプレーヤ、ＭＰ３プレーヤ、ＣＤ−Ｒ／ＣＤ−ＲＷ、またはそれらの組み合わせ機器であることを特徴とする、請求項１乃至４のいずれかに記載の装置。
【請求項６】
特大サイズ・ディスプレイと組み合わされ、前記特大サイズ・ディスプレイのサイズは好ましくは対角測定値が約２１インチから約３００インチの範囲内であることを特徴とする、請求項１乃至５のいずれかに記載の装置。
【請求項７】
前記ハウジングが、前記装置をネットワーク、ケーブルまたはアンテナを通してテレビジョン信号を受信するための入力に接続するための複数のポートを前記リア・パネルに備えることを特徴とする、請求項１乃至６のいずれかに記載の装置。
【請求項８】
共通電源が前記サブアセンブリに電力を供給する、および／またはリモート・コントロールを使用して前記サブアセンブリの動作を制御することを特徴とする、請求項１乃至７のいずれかに記載の装置。
【請求項９】
前記サブアセンブリ（ｉｉ）、（ｉｉｉ）、および（ｉｖ）が第１のモジュールとして構成され、前記サブアセンブリ（ｉ）が第２のモジュールとして構成されることを特徴とする、請求項１乃至８のいずれかに記載の装置。
【請求項１０】
前記第１のモジュールがデータ・モジュールであり、および／または
前記第２のモジュールがプロジェクタ・モジュールであり、および／または
前記第１のモジュールが前記第２のモジュールに隣接して上または横に配置され、および／または、
前記第１のモジュールおよび前記第２のモジュールが背中合わせに隣接して配置構成されることを特徴とする、請求項９に記載の装置。
【発明の詳細な説明】
【技術分野】
【０００１】
本発明は、電子装置の分野に関し、より詳細には、特に教育、共同学習、緊急災害時対応、コミュニティ・アウェアネス、販売促進および宣伝広報キャンペーン、パブリック・ガバナンス、エンターテイメント、インターネット、ブロードキャスト・アクセスなどの領域で共同利用するために、衛星、ブロードキャスト、テレビ放送、記録手段からのデジタルおよび／またはアナログ信号を受信、格納、および処理する際に使用するため、および画像を特大サイズで表示するためであるが、これらに限定されない収束技術上に構築される持ち運び可能な一体型マルチメディア電子装置に関する。
【背景技術】
【０００２】
現在の経済的および社会的シナリオでは、コミュニティ・レベルでのマルチメディア・コンテンツおよびその受信、格納、処理、送信、および表示についての広範な認識および需要がある。前述の内容を要求および必要とする様々なコミュニティには、家族、教育団体、村の議会および団体、パブリック・ガバナンス事務局、投資家団体、および公共団体、コミュニティ、公的および私的企業の管理団体、理事会、および議会を運営するメンバーなどが含まれる。
【０００３】
現在の技術では、前記コミュニティのいずれかまたはすべてに関する前述のそれぞれの要件を満たすために、いくつかの異なる複雑で高価な電子装置およびシステムを使用する必要がある。現時点では、こうした目的に使用可能な製品には、マルチメディア・コンピュータ、テレビジョン・セット、大型電子表示装置、オーディオ・プレーヤ、ＶＣＤプレーヤ、ＤＶＤプレーヤ、ゲーム・ステーション、プロジェクタ、および特殊投影スクリーンが含まれる。これらの製品には、それぞれ前述のコミュニティ要件のうちの１つまたは複数に対処することが求められる。こうした製品の中には、以下のものがある。
【０００４】
ａ）コミュニティ使用向けの大視野装置。
ｂ）より大きな画像用の超広角レンズ。
ｃ）プロジェクタ、ＤＶＤプレーヤ、およびハードディスク・ドライブを組み合わせたモバイル・エンターテイメント・システム。
ｄ）高性能ホーム・シアター。
ｅ）複数の製品を接続し、連動させて使用するための装置。
ｆ）マルチメディア・コンピュータとテレビジョンの組み合わせ。
前述のコミュニティ要件のうちの１つまたは複数を満たすことを要求する従来技術におけるこうした製品について、以下で概説する。
【０００５】
ａ）コミュニティ使用向けの大視野装置
コミュニティ・プレゼンテーション用に大視野を提供するこうした試みの１つが、フォールド・ミラー画像配置構成および複数の投影装置を備えた大視野プレゼンテーションで使用するための画像投影表示システムに関する発明を教示する、米国特許第６，０４２，２３８号に開示されている。このシステムの使用は、観測者がある程度代替環境に没頭するためにマルチチャネル・ディスプレイが使用されるシミュレーション、レジャー、コンピュータ支援設計、またはビジュアライゼーションに限定される。このシステムは、手頃な価格で画像の大型表示を提供する際につきものの問題点を強調している。
【０００６】
ｂ）より大きな画像用の超広角レンズ
他の既知の装置では、１．５メートルの距離で６０インチの画像を、また２．４メートルの距離でさらに広い１００インチの画像を投影する、超広角レンズを使用する。（マルチメディア・モバイルＬＣＤプロジェクタ・モデルＣＰ  Ｘ２７５に関するＨｉｔａｃｈｉのウェブサイト、ｗｗｗ．ｈｉｔａｃｈｉ．ｃｏｍを参照のこと。）
【０００７】
ｃ）プロジェクタ、ＤＶＤプレーヤ、およびハードディスク・ドライブを組み合わせたモバイル・エンターテイメント・システム
オーストラリア・デザイン賞を受賞したＲＥＸモバイル・エンターテイメント・システム―Ｂｒｏｎｚｅ（オーストラリア・デザイン賞のウェブサイト、ａｔ ｄｅｓｉｇｎａｗａｒｄ．ｃｏｍ．ａｕ／ＡＤＡ／０１０１／ＳＴＵＤＥＮＴ％２−ＤＥＳＩＧＮ／６１０／６１０を参照のこと）は、現在使用可能なウルトラポータブル・プロジェクタ、携帯型ＤＶＤ（デジタル・ビデオ・ディスク）プレーヤ、および携帯型ハードディスク・ドライブの３つの製品の組み合わせを特徴としている。しかしこのシステムは、コンピューティング、ＴＶ視聴、および対話機能を持ち運び可能なように統合していないこと、およびコミュニティでの使用に必要な操作の簡便性に欠けているため、コミュニティでの使用には適していない。
【０００８】
ｄ）高性能ホーム・シアター
Ｈｙｐｅｒｆｏｒｍａｎｃｅ  ＳｏｌｕｔｉｏｎｓのＨＴ−４００シリーズ・ホーム・シアターＰＣ（ｗｗｗ．ｈｙｐｅｒｆｏｒｍａｎｃｅｓｏｌｕｔｉｏｎｓ．ｃｏｍ／ＨＴＰＣ／ＨＴ−４００．ｈｔｍを参照のこと）は、家庭用ＴＶに接続された１つのユニット内にＶＣＲ、ＣＤプレーヤ、ＤＶＤプレーヤ、ビデオ・スケーラ、ビデオ・デインタレーサ、およびパーソナル・コンピュータの機能を提供する。これは、比較的高価であることは別として、コミュニティでの使用に関して多くの欠点を提示している。
【０００９】
ｅ）複数の製品を接続し、連動させて使用するための装置
Ｋｏ  Ｙｏｏｎｙａｎｇに対して認められた米国特許第６，５２２，４１９号は、様々な入力および出力装置を便利かつ容易に取り付けることの可能な単一の装置を特色としている。しかしながら、この米国特許第６，５２２，４１９号は、以下の短所および欠点の面で不利である。
【００１０】
１）米国特許第６，５２２，４１９号に開示された装置は、様々な入力および出力装置用に装置前面に多くの接続部を設けなければならないあまりユーザ・フレンドリではない既知のサブアセンブリの集合体である。また、この装置は、特にテクノロジーがあまり浸透していない開発途上国の農村部において、新規のユーザが使用できるようになるとは予測および想定不可能な様々なタイプのコネクタおよびケーブルについての精通および知識をユーザ側に要求する。
２）この装置は、様々な入力および出力装置の外部接続を含むことから、持ち運び可能な一体型システムを提供せず、そのために損害、損失、または公共的破壊行為を受けやすい。
３）画像表示は、固有の表示サイズ制限を有する大型電子ディスプレイまたは出力装置の画像を投影するための独立型プロジェクタの使用に限定される。
４）この装置は、入手および操作に比較的費用がかかり、インドおよび他の開発途上国のほとんどの農村コミュニティには手の届かないものである可能性が高い。
５）この装置は、農村および無学の人々が操作するのが困難な可能性のある特殊なコントローラを必要とする。
６）この装置は、入力および出力装置の多様性を必要とするため、電源に信頼性および安定性のないインドおよび他の農村部において、いくつかの電圧調整器および無停電電源装置の使用が不可欠となり、これによって装置のさらなる複雑化および全体経費の増加につながる。
７）この装置は、アップグレード用のオプションを制限し、アップグレードの経費も増加させるチップ上にインストールされた専用のオペレーティング・システムおよびメイン・プログラムに依拠する。
８）この装置は、いくつかの接続された装置における中央処理装置に加えて、特別に考案された「一体型環境中央処理装置」も必要とする。
９）この装置は、「単一」ボタン起動機能を提供しない。
【００１１】
ｆ）マルチメディア・コンピュータとテレビジョンの組み合わせ
一体型電子装置を提供するための他の試みは、それぞれＺａｒｅｌｉｕｓ  Ｇｉｓｔｅｒ氏およびＹａｎｉｖ  Ｓｖｉ氏による米国特許出願公開第２００２００５００８３号および第２００２００２１４２０号で開示されたマルチメディア・コンピュータとテレビジョン機器との組み合わせである。上記装置は、２つの高価なシステムを組み合わせて、コンピュータ（データ）信号またはＴＶ放送信号の表示を選択するものであるが、それらの表示は本来それらの使用が家庭に限定されている大型ＴＶセットのサイズに限定される。おそらく５０から１００人の聴衆がこうした装置を使用するのは困難であろう。
【００１２】
（従来技術の概要）
従来技術の装置に関する上記の考察から、および全体的な見地から、前述のすべての装置は、
（ｉ）コミュニティでの使用に際して損害、損失、または公共的破壊行為を受けやすく、（ｉｉ）新規ユーザに対して文化的および技術的に乗り越えがたい障壁を提示し、（ｉｉｉ）アップグレード、保守、および旧式化の軽減に対する技術的および予算的な問題を提示する。
【００１３】
前述の欠点は別として、上記の装置は大規模な記憶および使用スペース、周辺および補助装置、および温度制御、ダスト制御、およびセキュリティを含む設備を必要とする。
【特許文献１】米国特許第６，０４２，２３８号
【特許文献２】米国特許第６，５２２，４１９号
【特許文献３】米国特許出願公開第２００２００５００８３号
【特許文献４】米国特許出願公開第２００２００２１４２０号
【発明の開示】
【発明が解決しようとする課題】
【００１４】
したがって、教育、共同学習、緊急災害時対応、コミュニティ・アウェアネス、販売促進および宣伝広報キャンペーン、パブリック・ガバナンス、エンターテイメント、インターネット、ブロードキャスト・アクセスなどの領域で共同利用するために、衛星、ブロードキャスト、テレビ放送、記録手段からのデジタルおよび／またはアナログ信号を受信、格納、および処理する際に使用するため、および画像を特大サイズで表示するための前述の多数の機能を組み合わせる持ち運び可能な一体型電子装置の開発が求められている。
【課題を解決するための手段】
【００１５】
したがって、本発明の目的および利点を以下に記載する。
１）本発明の目的は、インターネット実行可能マルチメディア・コンピュータ、テレビジョン、オーディオ・プレーヤ、ＶＣＤプレーヤ、ＤＶＤプレーヤ、ゲーム・ステーション、およびデータ・プロジェクタの機能を、単一の可搬型ハウジング内に統合した共同学習、データ伝送、エンターテイメント、およびパブリック・ガバナンスのための持ち運び可能な一体型電子装置を提供することである。
【００１６】
２）本発明の目的は、ユーザが種々のサブアセンブリを接続する複雑なプロセスがほとんど解消されるように、種々のサブアセンブリのすべての構成要素が事前に接続および構成された共同学習、データ伝送、エンターテイメント、およびパブリック・ガバナンスのための持ち運び可能な一体型電子装置を提供することである。
【００１７】
３）本発明のさらに他の目的は、サブアセンブリの事前に接続された配置構成により、ユーザがボタンを１つ押すだけで単一のリモート・コントロール装置を使用して容易に制御および動作可能な装置のすべての機能のスイッチをオンにすることができるような使用が非常に簡単な共同学習、データ伝送、エンターテイメント、およびパブリック・ガバナンスのための持ち運び可能な一体型電子装置を提供することである。
【００１８】
４）本発明のさらに他の目的は、指導をより興味深くインタラクティブなものにする必要がある際に使用可能なテキスト、オーディオ、ビデオ処理、およびアプリケーションなどの種々の種類のリソースへの同時アクセス権をユーザが有する場合に、１つの可搬型共通ハウジング（ボックス）内部の種々の種類のデータ・ソースを組み合わせて、指導をより独創的にすることが可能な共同学習、データ伝送、エンターテイメント、およびパブリック・ガバナンスのための持ち運び可能な一体型電子装置を提供することである。
【００１９】
５）本発明の他の目的は、データ・プロジェクタを装置の不可欠な部分とすることによって、大型投影画像を表示するために特殊なスクリーンまたは装置を必要とせずに、任意の平面または壁面上のどこにでも大型画像を投影できるようにする共同学習、データ伝送、エンターテイメント、およびパブリック・ガバナンスのための持ち運び可能な一体型電子装置を提供することである。
【００２０】
６）本発明の他の目的は、大規模なグループまたはコミュニティの状況で使用可能であることによって、同じ情報を大勢の聴衆が共有することおよび彼らに説明することが可能であり、種々の形の情報のより効率的かつ効果的な学習およびインタラクティブな提示につながる共同学習、データ伝送、エンターテイメント、およびパブリック・ガバナンスのための持ち運び可能な一体型電子装置を提供することである。
【００２１】
７）本発明のさらに他の目的は、技術の発達に遅れをとることなく、新しい技術が登場した場合に構成要素をアップグレードできるモジュラー設計を備えた最先端の構成要素およびサブアセンブリの組み合わせと考えられ、さらに所与の時点で効率的な組み合わせで統合された最良の機能の組み合わせを常に示す共同学習、データ伝送、エンターテイメント、およびパブリック・ガバナンスのための持ち運び可能な一体型電子装置を提供することである。
【００２２】
８）本発明のさらに他の目的は、サイズがコンパクトであることから、コミュニティ・ルーム、会議室、または教室の一角に納めることが可能であり、さらにセンター・テーブルまたはメイン・スペースを他の生産用途向けにほぼ空けておくことが可能な共同学習、データ伝送、エンターテイメント、およびパブリック・ガバナンスのための持ち運び可能な一体型電子装置を提供することである。
【００２３】
９）ＴＶ、オーディオ／ＶＣＤ／ＤＶＤプレーヤ、内部ハードディスク、およびデータ・プロジェクタを備えたインターネット実行可能マルチメディア・コンピュータの機能を単一の可搬型装置に組み込んだ結果として、個々の製品が単独で使用された場合には得ることのできない組み合わせの相乗作用からいくつかの利点が生じる。
【００２４】
個々の製品と比べた本発明における機能の組み合わせの結果として生じる相乗作用の利点を以下に列挙する。
・オーディオ・プレーヤとして
・ハードディスク・ストレージとオーディオ・プレーヤとを組み合わせることによって、内部ハードディスク上のオーディオ・コンテンツをソートすることが可能なため、別々のメディア（ＣＤ／カセットなど）上にこうしたコンテンツを格納する必要がなくなる。内部ハードディスク上にすべてのオーディオ・コンテンツを置くことにより、ＣＤおよびカセットの集まりを別々に保護および安全に格納する必要がなくなる。
【００２５】
・オーディオＣＤプレーヤとコンピュータとを組み合わせることによって、すべてのオーディオ・コンテンツを種々の組み合わせでカタログ作成、順序付け、および格納し、ソフトウェア検索を介して思いのまま即時に再生することが可能である。これにより、所望のコンテンツの検索および再生に必要な時間が節約される。
・オーディオ・プレーヤとすべてのオーディオ・コンテンツの内部ハードディスク・ストレージとを組み合わせることによって、種々のＣＤを再生するためにこうしたＣＤを物理的に挿入する必要がなくなり、リモート・コントロール装置を使用して、ハードディスク上の任意のオーディオ・コンテンツを選択および再生することができる。
・オーディオ・プレーヤと大型データ・プロジェクタおよびコンピュータとを組み合わせることによって、コンピュータ上のソフトウェアとして使用可能な種々のメディア・プレーヤを介して、大画面上の動く画像と共に任意の音楽を再生することができる。大画面上で音楽を聴くことおよび見ることを同時に行うことで、従来のオーディオ・プレーヤに比べて音楽の新しいオーディオ・ビジュアル体験が提供される。
【００２６】
・大型テレビジョンとして
・本装置は３００インチまでのサイズを表示する大型テレビジョンを提供しており、これは市販の大型のプラズマまたはプロジェクション・テレビよりもはるかに大きい。
・本装置の占有スペースは、ほとんどの大型ＴＶに比べてかなり少ない。壁面の棚に据え付けることが可能であるため、フロア・スペースが完全に開放され、かなりのスペース節約になる。
・ＴＶチューナおよびマルチメディア・プロジェクタの組み合わせにより、ユーザは、スクリーン・サイズが固定された１サイズのみでの表示が可能な大型ＴＶでは不可能な投影画像のサイズの変更をスペースの可用性に応じて実行することが可能である。
・任意の平面または壁面上に画像を投影する場合、プラズマ・ディスプレイまたはプロジェクタ・スクリーンなどの特殊な電子表示装置を設置する必要がない。
・投影される画像は、どのような厚みまたは重みもない可能な最も平坦なものであり、投影がない場合は消えるので、高価な表示装置を保護する必要がない。
・本発明の小型の装置は、使用していない場合は安全にしまっておくことが可能であるため保護が容易であり、これはコミュニティで使用するという状況では重要な利点である。
【００２７】
・ＤＶＤ／ＶＣＤプレーヤとして
・ＤＶＤ／ＶＣＤプレーヤとデータ・プロジェクタとを組み合わせることにより、ＤＶＤ／ＶＣＤコンテンツを約３００インチの特大サイズで表示することが可能であり、映画館にいる感じを味わわせる。これは、大型プロジェクションＴＶまたはプラズマ・ディスプレイに比べて非常に優れている。
・好ましいコンテンツをハードディスク上に格納することが可能であり、これを個々のＤＶＤ／ＶＣＤを挿入する必要なしに遠くから思いのままに再生することができる。
【００２８】
・ゲーム・ステーションとして
・コンピュータとプロジェクタを１つのユニットに組み込むことによって、ゲームを特大サイズで表示させることが可能であり、したがって、ゲームのプレイ中に機能強化された包み込まれるような視聴／参加型の体験を提供する。車やオートバイのレース、アクション、スペース・アドベンチャー、スリラーなどの典型的なジャンルのゲームはすべて特大サイズでプレイした場合より強烈な体験が得られる。
【００２９】
・マルチメディア・インターネット・コンピュータとして
・プロジェクタとコンピュータを１つのユニットに組み込むことによって、インターネットおよびマルチメディア・コンテンツを大勢の聴衆が共有できるようになり、ユーザのコミュニティによる参加型視聴が可能になる。大型サイズのグループ視聴は、コンピュータの前にきちんと座って見なければならない小型のコンピュータ画面の場合に比べて、居間のソファやベッドからなどのように、家族や友人とのコンテンツの視聴をより快適なものにすることができる。
【００３０】
・新しい可能性
・小型サイズ、可搬性、および特大投影画像により、多くの新しい使用可能性が出現する。そのうちのいくつかを以下に列挙する。
・本発明の装置は、コンテンツを大勢の人々に見せるために必要なたった１台の機器であり、学校、指導クラス、トレーニング・センター、セミナー、コミュニティ・センターなどのすべての教育現場にＡＶ（オーディオ・ビジュアル）ルームを設置するのに必要な投資が削減されるため、多くのこうしたグループ学習センターを低コストで出現させることが可能である。大勢の聴衆に対して共通の説明をすることにより、同じ内容またはメッセージを小規模なグループに対して繰り返し説明する必要がないため、大幅な時間および労力の節約となる。
・必要な投資が少ないことで、小規模なメディア・センター／ビデオ・シアターを開設することが可能であるため、小規模な企業家たちにとって新しいビジネス・チャンスが生じる。
・容易に賃借り可能な単一の可搬型製品であることから、製品に対するレンタル・ビジネスのチャンスが生まれる。
・車で運ぶこと、および車のバッテリから電源を引くことによって、本装置は、電源のない可能性がある国や地方の最奥の地域でのプロモーションや啓蒙プログラム用の移動装置として機能することができる。
・ウェブ・カメラを取り付けることにより、本装置は最奥の地域でのライブ中継のビデオ会議を可能にするため、画像および会話を双方向でライブ交換できることによって、災害状況などをより適切に管理することが可能である。遠隔地域でのビデオ会議は、管理者の席から直接見ることによって、現場の状況をより適切に監視および管理するための電子管理も容易にする。
・他の目的および利点は、図面の考察および以下の説明から明らかとなろう。
【００３１】
（発明の簡単な概要）
・本発明は、６つの主要サブアセンブリを備え、インターネット実行可能マルチメディア・コンピュータ、テレビジョン、特大画像ディスプレイ、オーディオ・プレーヤ、ＶＣＤプレーヤ、ＤＶＤプレーヤ、ゲーム・ステーション、およびデータ・プロジェクタのすべての機能を単一の可搬型ボックス内に提供する持ち運び可能な一体型電子装置である。種々のサブアセンブリのすべての構成要素は事前に接続および構成されているため、種々の異なる製品を接続する複雑なプロセスは排除されている。本装置は、ユーザがボタンを１つ押すだけで製品のすべての機能のスイッチがオンになるように非常に使い方が簡単であり、単一のリモート・コントロールを使用して容易に制御することができる。１つの共通ボックス内にある種々の種類のデータ・ソースを組み合わせることによって、コンテンツの指導、共有、処理、および表示をより興味深いインタラクティブなものにする必要がある場合に使用可能なテキスト、オーディオ、ビデオ、処理、およびアプリケーションなどの種々の種類のリソースにアクセスすることができる。
【００３２】
・データ・プロジェクタを製品の不可欠部分とすることにより、任意の平面または壁面上のどこにでも大型画像を投影することができる。大型投影画像を見るための特殊なスクリーンまたは装置は不要である。
・大型画像であることから、本製品を大規模グループまたはコミュニティの状況で使用することが可能になり、それによって同じ情報を大勢の聴衆と共有し、彼らに説明することができるため、より効率的かつ効果的な学習および対話状況につながる。
【００３３】
・必要な投資が少ないことから、小規模なメディア・センター／ビデオ・シアターを開設することが可能であり、結果として小規模な企業家にとって新しいビジネス・チャンスが生じる。
・賃借りが容易な単一の可搬型製品であることから、製品に対するレンタル・ビジネスのチャンスが生まれる。
【００３４】
・車で運び、車のバッテリから電源を引くことによって、電源がない可能性のある最奥の地域でのプロモーションおよび啓蒙プログラム用の移動装置として機能することになる。
・ウェブ・カメラを取り付けることにより、本装置は最奥の地域でのライブ中継のビデオ会議を可能にするため、画像および会話を双方向でライブ交換できることによって、災害状況などをより適切に管理することが可能である。遠隔地域でのビデオ会議は、管理者の席から直接見ることによって、現場の状況をより適切に監視するための電子管理も容易にする。
【００３５】
・他の目的および利点は、図面の考察および以下の説明から明らかとなろう。
・要約すると、本発明は、種々のコミュニティ向けの教育、エンターテイメント、コミュニティでの共有使用、管理的および社会的な対話および統合のための、マルチメディア信号および特大サイズ表示画像の受信、格納、処理、および送信用の持ち運び可能な一体型電子装置である。
【００３６】
・本発明については、添付の図面と共に以下の記述および添付の特許請求の範囲でより詳細に説明する。
所与の説明を補足するため、および同じ実用上の実施形態に従った当該の説明の不可欠部分として本発明の特徴をより良く理解するために、例示としてのものであり限定的ではない方法で一組の図面を添付する。
【発明を実施するための最良の形態】
【００３７】
本発明を実施するための好ましい実施形態および最良のモードの詳細について説明する。
本発明は、共同学習、データ伝送、エンターテイメント、およびパブリック・ガバナンスで使用するための持ち運び可能な一体型電子装置を開示する。
本装置は、緊急災害時対応、アウェアネス作成、製品プロモーション、広告、エンターテイメント、インターネット放送アクセス、および種々の目的で効果的に使用することもできる。
【００３８】
本発明の一体型電子装置（以下、装置と呼ぶ）は、この説明の他の部分で詳細に説明する複数のサブアセンブリを収容するハウジングを備える。
図１：示された実施形態では、装置は、コミュニティ使用のためにある場所から他の場所に手で簡単に持ち運べる可搬型ハウジング（１）を備える。ハウジング（１）は、従来の電子装置のハウジング材料に好適に使用される、金属、合金、または複合材などの材料で作成することができる。
【００３９】
好ましくは、ハウジング（１）はフロント・パネル（１１）およびリア・パネル（１２）（図４を参照）を備えたボックス型である。
また、ハウジング（１）は、ポータブルであり、特にコミュニティで使用するためにある場所から他の場所に手で持ち運ぶことができるような、任意のサイズ、形状、およびエルゴノミクスを有するように構成することができる。
【００４０】
本発明は、人の集団を対象とする鉄道の駅、コミュニティ・ホール、イベント・ホール、公園および他の公的および私的な施設などの場所で一時的または永続的に特定の場所に固定可能であり、手で、または手押し車、カート、台車などの適当な運搬車で搬送可能なハウジングも企図する。
【００４１】
サブアセンブリには、
（ｉ）ハウジング外部の表面の上にビデオおよびデジタル・データを所定の特大サイズ画像に投影するための機器と、
（ｉｉ）外部ディスクおよび内部記憶ユニット上に、および／またはそれらから、オーディオ、ビデオ、および／またはデジタル・データを記録、再生、および格納するための機器と、
（ｉｉｉ）入力装置を介したデータ入力を受信および処理するため、およびネットワークへの接続用に適合された計算回路と、
（ｉｖ）複数のテレビジョン信号データを受信するように適合されたテレビジョン・チューナ・カードとが含まれる。
【００４２】
サブアセンブリは相互に事前接続された関係で構成されているため、装置はコンパクトであり使いやすい。
「事前接続された」という用語は、本明細書では、装置の種々のサブアセンブリのすべての構成要素が、ユーザが１つのボタンを押すだけで装置のすべての機能のスイッチがＯＮになるように内部的に接続および構成されていることを意味し、それによってユーザが種々のサブアセンブリを接続する複雑な処理をなくし、単一のリモート・コントロール装置による使用および操作が極端に容易になる。
サブアセンブリは、ハウジング（１）内の１つまたは複数のモジュールにグループ化することができるか、またはこうしたモジュール式配置構成なしに個々にハウジングに収容することができる。
【００４３】
好ましい実施形態では、サブアセンブリ（ｉｉ）、（ｉｉｉ）、および（ｉｖ）は、以下でデータ・モジュール（３）と呼ばれる１つのモジュールにグループ化され、サブアセンブリ（ｉ）は以下でプロジェクタ・モジュール（２）と呼ばれる別のモジュールとして構成される。
【００４４】
プロジェクタ・モジュール（２）は、ハウジング（１）外部の表面の上にビデオおよびデジタル・データを所定の特大サイズ画像に投影する。ビデオ・データは、例えば、ケーブル、衛星、または放送テレビジョンから、あるいはビデオ・コンパクト・ディスクまたはデジタル・ビデオ・ディスクからのようなデータとすることが可能であり、デジタル・データは、テキスト情報、グラフィックス、または種々のアプリケーション・ソフトウェア・プログラムの視覚出力などのようなデータとすることが可能である。表示のサイズはコミュニティでの使用に適しており、好ましくは対角測定値が２１インチから３００インチの間のサイズである。
【００４５】
一実施形態では、オーディオ、ビデオ、および／またはデジタル・データを外部ディスクおよび内部記憶ユニット上に、および／またはこれらから、記録、再生、および格納するために、コンボドライブ・ユニット（５）が組み込まれる。
コンボドライブ・ユニット（５）は、デジタル・ビデオ・ディスク（ＤＶＤ）プレーヤ、ビデオ・コンパクト・ディスク（ＶＣＤ）プレーヤ、オーディオ・コンパクト・ディスク（ＡＣＤ）プレーヤおよび／またはレコーダ、ＭＰ３プレーヤ、およびＣＤＲ／ＣＤ−ＲＷ、またはそれらを組み合わせた機器を含むことができる。
【００４６】
また、ＤＶＤプレーヤ、ＶＣＤプレーヤ、オーディオＣＤプレーヤおよび／またはレコーダ、ＭＰ３プレーヤ、またはＣＤＲ／ＣＤ−ＲＷを、所望に応じて、および要件および用途に基づいて、別々にあるいは選択的な組み合わせで装置内に収容することもできる。
外部ディスクは、コンパクト・ディスク、レーザ・ディスク、デジタル・ビデオ・ディスク、またはほぼ同様のこうした既存および将来のバージョンの外部記憶ディスクなどの従来の記憶ディスクとすることができる。
内部記憶ユニットは、ビデオおよびデジタル・データを格納するためのハードディスクまたはメモリ・チップとすることができる。
【００４７】
本発明の好ましい一実施形態（図１を参照）では、プロジェクタ・モジュール（２）はハウジング（１）の上部に配置され、データ・モジュール（３）はハウジング（１）の下部に配置され、結果としてプロジェクタ・モジュール（２）およびデータ・モジュール（３）は縦に積み重ねられる。
他の実施形態では、プロジェクタ・モジュール（２）は図６（Ａ）に示されるようにデータ・モジュール（３）の横に配置され、この場合キャビネット・ハウジング（１）の高さは明らかに低くなるが、ハウジング（１）の幅は広くなる。
【００４８】
本発明の他の実施形態によれば、プロジェクタ・モジュール（２）は、図６（Ｂ）に示されるように、好ましくはデータ・モジュール（３）の左側に配置される。
プロジェクタ・モジュール（２）およびデータ・モジュール（３）の位置は、さらに変更可能であり、例えば、プロジェクタ・モジュール（２）およびデータ・モジュール（３）を背中合わせに配置構成することができる。
プロジェクタ・モジュール（２）およびデータ・モジュール（３）のこうした修正および配置構成は、すべて装置の格納および使用において便宜上実行されるものであり、首尾よく企図され、本発明の範囲内に含まれるとみなされる。
【００４９】
図２および図３。ハウジング（１）は、好ましくはフロント・パネル（１１）にプロジェクタ・モジュール（２）のレンズ・フロント（４）を取り付けるための開口部を備える。ハウジング（１）のフロント・パネル（１１）には、コンボドライブ・ユニット（５）を取り付けるための他の開口部も提供される。本発明の好ましい実施形態によれば、装置のＯＮおよびＯＦＦを切り替えるためのボタン（６）が、ハウジング（１）のフロント・パネル（１１）内のコンボドライブ・ユニット（５）に隣接するかまたは下に取り付けられる。好ましくは、音量コントロール用のつまみ（７）が、フロント・パネル（１１）上のユーザが操作しやすい適当な場所に取り付けられる。
前述の説明に記載されたレンズ・フロント（４）、コンボドライブ・ユニット（５）、およびつまみ（７）の配置構成は、ユーザの装置へのアクセスおよび使用を容易にするためのものである。上記の配置構成は、個々の要件に従って修正可能である。
【００５０】
図３を参照すると、オーディオ・アンプ回路（図示せず）の１対のスピーカ・グリル（８）がハウジング（１）の各側面に１つずつ取り付けられている。オーディオ・アンプ回路はサブアセンブリと共に動作可能である。
【００５１】
図４：好ましくは、ハウジング（１）のリア・パネル（１２）は、必要に応じて装置と共に使用するために、リモート・キーボード、カメラ、プリンタ、スキャナなどの外部周辺装置に接続するための１つまたは複数のポート（１３）を備える。リア・パネル（１２）には、それぞれＬＡＮおよびインターネット・ソースなどのネットワーク、およびケーブル／アンテナを通してＴＶ信号を受信するためのＲＦ入力などの入力に接続するために、複数のポート（１４）、（１５）、および（１６）が提供される。電源に接続するためのパワー・ソケット（１７）が、好ましくはハウジング（１）のリア・パネル（１２）に提供される。
装置のリモート操作用に（図８に示されるような）共通リモート・コントロールを、完全または部分的に組み込むことができる。
【００５２】
図５：本発明の装置に関連する種々のサブアセンブリの配置構成を示す。データ・モジュール（３）は、内側にシャーシ（１９）と共に取り付けられた基底部（１８）を備える。データ・モジュール（３）の内部には、マザーボード（１０）、オーディオ・アンプ・カード（２１）、ＴＶチューナ・カード（２２）、ＣＰＵ（２３）、ハードディスク（２４）、および電源（２０）が取り付けられる。ＴＶチューナ・カード（２２）は複数のテレビジョン信号データを受信することができる。装置のすべてのサブアセンブリは内部に事前接続され、単一のＯＮ−ＯＦＦボタン（６）で操作される。
【００５３】
共通の電源（２０）は、プロジェクタ・モジュール（２）、ＴＶチューナ・カード（２２）、オーディオ・アンプ・カード（２１）およびスピーカ（８）、マザーボード（１０）およびＣＰＵ（２３）、ハードディスク（２４）およびコンボドライブ（５）に電力を供給する。ハウジング（１）の前面にあるＯＮ−ＯＦＦボタン（６）を起動することによって、ユニット全体のスイッチがオンになる。コンピュータ・ユニットとＴＶチューナの両方からの処理済データのＲＧＢ信号が、プロジェクタ・モジュール（２）のＲＧＢ入力に接続され、プロジェクタ・モジュールがＴＶとＰＣデータの両方を表示できるようになる。
【００５４】
装置の操作用のリモート・コントロール（図８を参照）は、プロジェクタ・オペレーション用のコントロール（２５）、コンピュータ・オペレーション用のコントロール（２６）、テレビジョン用のコントロール（２７）のセットを備え、それらすべてが１つのユニットに結合される。
ＴＶチューナ・カード（２２）は、アンテナ・ケーブルを介して地上波ＴＶ放送信号を、または加入ケーブル接続を介してケーブルＴＶ信号を受信するために、リア・パネル（１２）上のケーブル接続を介して外部ＴＶ信号に接続される。
【００５５】
ＣＰＵ（２３）を備えるＰＣユニットは、システム・ソフトウェア、アプリケーション・プログラム、およびコンテンツを格納するために、内部ハードディスク（２４）に接続される。外部データは、データを表示することおよびアプリケーション・プログラムをロードすることを可能にするＤＶＤ、ＶＣＤ、およびＣＤの形でコンボドライブ（５）を介して入力することができる。コンボドライブ（５）のＣＤ書き込み機能により、処理済データをデータ転送用に外部ディスクに書き込むことができる。
【００５６】
装置の後部に提供されたポート（１４，１５，１６）は、必要に応じて、および必要な場合に、種々の機能を接続することができる。例えばいくつかのＵＳＢ／ファイアワイア（ＩＥＥＥ  １３９４）ポートは、種々の装置（無線受信機、キーボード、スキャナ、プリンタ、カメラなど）を接続することができる。イーサネット（登録商標）・ポート（１４）は、ネットワーク上の他のコンピュータとファイルを共有すること、またはケーブル接続を介してインターネットに接続することができる。モデム・ポート（１５）は、電話回線を介してインターネットおよびワールド・ワイド・ウェブへの接続を提供する。ＴＶケーブル・ポートは、アンテナ・ケーブルまたは加入ケーブル・サービスのいずれかを介して、着信信号への接続を提供する。
【００５７】
ユニットは、リモート・コントロールを使用してＴＶまたはＰＣのいずれかのモードで、およびコントロールが提供するオーディオ音量で動作するように設定することができる。
ＴＶモードでは、プロジェクタは、オーディオ・ボリュームも制御するリモート・コントロールによるチャネル選択を使用して、着信するＴＶ信号を表示する。
ＰＣモードで使用する場合、プロジェクタはＰＣＴからの処理済のビデオ信号の出力を任意の平面上で大型に投影する。
装置は、装置が通常に作動している間はいつでもＴＶからＰＣモードに切り替えることができるため、ユーザはＴＶ機能とＰＣ機能とを思いのままに切り替えることができる。
【００５８】
図７および図８。他の実施形態では、装置はプロジェクタ・モジュール（２）、スピーカ・グリル（８）、コンボドライブ（５）を備えたデータ・モジュール（３）、プロジェクタ・モジュール（２）のレンズ・フロント（４）、ＯＮ−ＯＦＦスイッチ（６）などのすべてのサブアセンブリを有し、それらすべてが小型の形およびサイズで構成され、装置全体を必要に応じてコンパクトにすることができる。
【００５９】
これに関しては、従来技術の項の欠点を改善するために、当技術分野ではプロジェクタ、テレビジョン、インターネット実行可能コンピュータ、ＣＤプレーヤ、ＤＶＤプレーヤなどの機器が、共同学習、データ伝送、エンターテイメント目的用に、個別に、あるいはテレビジョンとコンピュータ、コンピュータとプロジェクタ、テレビジョンと共通ハウジング内のＣＤプレーヤなどの、１つまたは複数の装置と組み合わせて、あるいは前述の装置のうちの１つまたは複数の外部接続されたクラスタとして、常に採用されてきたのに対して、本出願人は主に、装置が共同学習、データ伝送、エンターテイメント、およびパブリック・ガバナンスでの使用に好適かつ非常に使いやすいようにサブアセンブリが事前に接続された、１つのコンパクトかつポータブルなハウジング内で、機器、すなわちプロジェクタ、コンボドライブ・ユニット、インターネット実行可能コンピュータ、テレビジョン、およびハードディスクなどの内部記憶ユニットの集合（本明細書ではサブアセンブリと呼ぶ）を採用することから、本出願人はこの既知の技術が教示したものに反した行動をとっていることに留意されたい。
【００６０】
それ故、好ましい実施形態に適用された本発明の基礎的な新規の特徴について表示および説明および指摘してきたが、記載された実施形態は、すべての点において限定的ではなく単に例示としてのものであり、当業者であれば、説明された方法の形および詳細において本発明の精神を逸脱することなく種々の省略、置き換え、および変更が実行可能であることを理解されたい。例えば、同じ結果を達成するためにほぼ同じ方法でほぼ同じ機能を実行する要素および／または方法ステップのすべての組み合わせが、本発明の範囲内に含まれることが明白に意図される。説明された一実施形態からの要素を他の実施形態の要素に置き換えることも、完全に意図および企図される。したがって、添付の特許請求の範囲によって示されるとおりにのみ限定されることを意図する。特許請求の範囲と同等の意味および範囲内のすべての変更は、その範囲内に含まれるものとする。
【図面の簡単な説明】
【００６１】
【図１】本発明の一体型電子装置の外部全体を示す図である。
【図２】本発明の全体の配置構成および装置を使用するためにユーザに示されるインターフェースを示す装置の正面図である。
【図３】本発明の一体型スピーカを有する、上部にプロジェクタ・モジュールを備え、下部にデータ・モジュールを備えた構成を示す装置の側面図である。
【図４】本発明の装置背面の外部全体を示す図である。
【図５】本発明の上部にプロジェクタ・モジュールおよび下部にデータ・モジュールを備えた構成用の装置内部の種々のサブアセンブリの概略配置構成を示す図である。
【図６】（Ａ）は、本発明の一実施形態に従った、プロジェクタ・モジュールおよびデータ・モジュールが並置された装置を示す図であり、（Ｂ）は、プロジェクタ・モジュールおよびデータ・モジュールが本発明の他の実施形態に従って配置された装置を示す図である。
【図７】小型構成要素を使用するコンパクトな超軽量型装置の外部全体を示す図である。
【図８】装置と共に使用するための好ましい形の単一のリモート・コントロールを示す全体概略図である。
【図１】
2006526231.tif 000003
【図２】
2006526231.tif 000004
【図３】
2006526231.tif 000005
【図４】
2006526231.tif 000006
【図５】
2006526231.tif 000007
【図６】
2006526231.tif 000008
【図７】
2006526231.tif 000009
【図８】
2006526231.tif 000010
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
共同学習、データ伝送、エンターテイメント、およびパブリック・ガバナンス用の持ち運び可能な一体型電子対話型装置であって、
（ａ）ハウジングを備え、
（ｂ）前記ハウジングが複数のサブアセンブリを収容し、
（ｃ）前記サブアセンブリが、
（ｉ）生成、受信、処理、および入力装置を介したデータ入力を実行するため、およびネットワークへの接続用に適合された計算回路、および種々のデジタル・データ通信装置と、
（ｉｉ）外部ディスクおよび前記計算回路に結合された内部記憶ユニット上に、および／またはそれらから、オーディオ、ビデオ、および／またはデジタル・データを記録、再生、および格納するための記録装置と、
（ｉｉｉ）前記記録装置に結合され、複数のテレビジョン信号データを受信するように適合されたテレビジョン・チューナ・カードと、
（ｉｖ）前記ハウジング外部の表面の上にビデオおよびデジタル・データを所定の特大サイズ画像に投影するための、前記記録装置、計算回路、およびテレビジョン・チューナ・カードに結合された投影装置とを含み、
前記サブアセンブリは互いに事前接続された関係にあり、それにより前記装置は非常にコンパクト、ポータブル、かつ使いやすいことを特徴とする装置。
【請求項２】
前記ハウジングが前記サブアセンブリと共に動作可能なオーディオ・アンプ回路をさらに備えることを特徴とする、請求項１に記載の装置。
【請求項３】
前記サブアセンブリが単一のＯＮ−ＯＦＦスイッチによって動作可能であることを特徴とする、請求項１に記載の装置。
【請求項４】
前記ハウジングがフロント・パネルおよびリア・パネルを備え、および／または前記サブアセンブリが前記ハウジングのフロント・パネルに配置されたＯＮ−ＯＦＦスイッチによって動作することを特徴とする、請求項１乃至３のいずれかに記載の装置。
【請求項５】
前記計算回路が好ましくはマルチメディア・コンピュータであることを特徴とする、請求項１乃至４に記載の装置。
【請求項６】
外部ディスクからのオーディオ、ビデオ、および／またはデジタルを記録、再生、および格納するための前記記録装置が、オーディオＣＤプレーヤ、ＶＣＤプレーヤ、ＤＶＤプレーヤ、ＭＰ３プレーヤ、ＣＤ−Ｒ／ＣＤ−ＲＷ、またはそれらの組み合わせ機器であることを特徴とする、請求項１乃至５のいずれかに記載の装置。
【請求項７】
特大サイズ・ディスプレイと組み合わされ、前記特大サイズ・ディスプレイのサイズが好ましくは対角測定値が約２１インチから約３００インチの範囲内であることを特徴とする、請求項１乃至６のいずれかに記載の装置。
【請求項８】
前記ハウジングが、前記装置をネットワーク、ケーブルまたはアンテナを通してテレビジョン信号を受信するための入力に接続するための複数のポートを前記リア・パネルに備えることを特徴とする、請求項１乃至７のいずれかに記載の装置。
【請求項９】
共通電源が前記サブアセンブリに電力を供給する、および／またはリモート・コントロールを使用して前記サブアセンブリの動作を制御することを特徴とする、請求項１乃至８のいずれかに記載の装置。
【請求項１０】
前記サブアセンブリ（ｉｉ）、（ｉｉｉ）、および（ｉｖ）が第１のモジュールとして構成され、前記サブアセンブリ（ｉ）が第２のモジュールとして構成されることを特徴とする、請求項１乃至９のいずれかに記載の装置。
【請求項１１】
前記第１のモジュールがデータ・モジュールであり、および／または
前記第２のモジュールがプロジェクタ・モジュールであり、および／または
前記第１のモジュールが前記第２のモジュールに隣接して上または横に配置され、および／または
前記第１のモジュールおよび前記第２のモジュールが背中合わせに隣接して配置構成されることを特徴とする、請求項１０に記載の装置。


【国際調査報告】
2006526231.tif 000011
2006526231.tif 000012
2006526231.tif 000013